(57)【要約】【課題】多数の個装箱を集合包装箱（輸送箱）に収納したとき、シリアル番号等を集合包装箱の外面に転記したり、ラベルを貼るという作業を行っていたが、これを省き作業の効率化をはかる。【解決手段】各個装箱３にシリアル番号を記録した無線タグ４を取付け、その取付位置に対応する集合包装箱１の外表面の部分に、例えば、「取」「扱」「注」「意」などの文字２を印刷しておき、これらを無線タグ４の存在位置を表示する内部情報管理用のマークとして用いる。【選択図】　　　　図１
2004115057.tif 000002
【特許請求の範囲】
【請求項１】
各個装箱にシリアル番号を示す無線タグを取付け、これらをまとめて収納輸送する集合包装箱の外表面の前記各無線タグに対応する部分に無線タグの存在を表示する内部情報管理用のマークを付したことを特徴とする集合包装箱。
【発明の詳細な説明】
【０００１】
【発明の属する技術分野】
本発明は、複数の個装箱を収納した集合包装箱（輸送箱）に関し、さらに詳しくは、収納した個装箱にそれぞれ無線タグを取付け、個装箱のシリアル管理を集合包装箱の外から行う技術に関する。
【０００２】
【従来の技術】
従来、カメラ、電子機器その他の製品の個装箱のシリアル管理においては、バーコードや数字等を用いて管理がなされている。また、製品の流通に際し、個装箱を数個まとめて集合包装箱（輸送箱）に入れて取扱うことが通常行われており、その際のシリアル管理は、各個装箱のシリアル番号を集合包装箱の外面に転記したり、各個装箱のシリアル番号を印刷したラベルを箱の外面に貼って、管理している。
【０００３】
個装箱に無線タグを用いることとすれば、集合包装箱に入れることにより個装箱に表示されたシリアル表示が外から見えなくなるが、無線タグ読取装置で読むことによってシリアル管理を行うことができる。無線タグは、データ通信を制御するＩＣと、ＩＣの作動電力を外部から無線で得ると共にデータを外部に出力する電磁誘導コイルを備えた素子である。このような無線タグは物品に非接触で読み書きが可能である。従って、物流管理や倉庫管理に広く用いられるようになっている。
【０００４】
多数の物に無線タグを取付けてこれらの管理を行う場合に、従来マルチリード方式がとられている。マルチリード方式では、複数の無線レスポンスが衝突を生ずるので、これを防ぐ方策をとる必要がある。例えば、無線タグシステムでのマルチリード方式において、読取り無線タグ数よりタイムスロット数を大きくとって、複数の無線タグからのレスポンスの衝突を防ぎ、かつ、読取り時間の大幅な短縮化を図る技術がある（例えば、特許文献１参照。）。この技術は、無線タグシステムのマルチリード状態において、リーダライタへは無線タグからタイムスロット順に連続的にレスポンスが返ってくるが、ある一定時間レスポンスが返ってこないときには、そのタイムスロットには無線タグのタグデータがないと判断して、無線タグに次のタイムスロット番号を呼び出すコマンドを送信するようにしたものである。
【０００５】
また、識別無線タグとして、コイルとコンデンサからなるＬＣ共振回路を備え、一方、通信を行うとき複数の信号から混信せず個別の信号を識別させる衝突防止手段としての共振周波数設定回路、タイムスロット設定回路および符号化データ設定回路を備え、さらに、個別の信号の識別データを記憶させておくメモリ回路および各回路を制御するコントロール回路を備え、周波数と時間帯および符号化により識別データを識別することができる技術がある。この技術は、マルチリード方式にて複数の無線レスポンスの衝突を防ぐ方式であって、周波数と時間帯あるいは符号化により識別データを識別する方式である（例えば、特許文献２参照。）。
【０００６】
【特許文献１】
特開２０００−１１３１２７号公報（第３−６頁、第１図）
【特許文献２】
特開２００１−１３４７２９号公報（第３−９頁、第１図）
【０００７】
【発明が解決しようとする課題】
本発明は、多数の個装箱を集合包装箱（輸送箱）に収納する場合に、個装箱にシリアル番号を記録した無線タグを取付けておき、この無線タグによってシリアル管理を行う技術に関するものである。従来は、個装箱に記載されているシリアル番号等を集合包装箱の外面に転記したり、ラベルを貼るという作業を行っていたが、これを省いて、作業の効率化をはかる技術を提供することを目的とする。
【０００８】
一方、この場合に、マルチリード方式のような複雑な装置や手順を必要としない簡易な手段によって、集合包装箱内の収納個装箱のシリアル管理を行うことができる集合包装箱を提供する。
【０００９】
【課題を解決するための手段】
本発明は、各個装箱にシリアル番号を示す無線タグを取付け、これらをまとめて収納輸送する集合包装箱の外表面の前記各無線タグに対応する部分に無線タグの存在を表示する内部情報管理用のマークを付したことを特徴とする集合包装箱である。ここで内部情報管理用のマークとは、第三者には分らないマークであって、例えば無線タグの位置を集合包装箱の外面に印刷した注意書きなどの通常の文字等の中に隠れた状態で表示したものである。
【００１０】
個装箱に無線タグを用い、個装箱を集合包装箱に入れることにより、個装箱に表示されたシリアル表示は外から見えなくなる。このとき、シリアル管理ができるように、集合包装箱のどの位置に個装箱に取付けられた無線タグがあるかを識別できるマークを印刷したり、切れ刃表示等により示すことにより、特定された部位の出力を読み取ることができる。また、読み取る部位を特定することにより、複数のレスポンスが衝突するのを防ぐことができ、簡易な無線タグ読取装置によって管理することができる。
【００１１】
【発明の実施の形態】
以下図面を参照して本発明の実施の形態を説明する。まず、従来技術について図１１、図１２を参照して説明する。多数の個装箱１１を集合包装箱（輸送箱）１に詰め合わせる。このとき、個装箱１１にはそれぞれバーコードやシリアル番号１２等が付されており、このシリアル番号１２等は、集合包装箱１の外側から見えないので、従来は、図１１に示すように、集合包装箱１の外面に転記による外面表示１３を行ったり、図１２に示すように、シリアルラベル１４を貼着してシリアル管理を行っていた。なお、図１１では、分かりやすくするために拡大した文字で、（１００１）、（１００２）などを示しているが、実際は小さい文字で表示されているものである。
【００１２】
図１は、本発明の１実施例を示すものである。図２に示すように、例えば、本発明では、個装箱３に無線タグ４を取付け、個装箱３を集合包装箱１に入れる。集合包装箱１の表面に、例えば、図１に示すように、「取扱注意」などの文字２を印刷しておき、それぞれの印刷文字「取」「扱」「注」「意」の中心位置が内部の個装箱３の無線タグ４の取付位置に対応するようにしたものである。図２では個装箱３の上面に無線タグ４を取付けたものを示しているが、無線タグは無線通信により情報を授受するのでシールド材で遮断されていなければよいので、被覆材で覆われていてもよい。例えば図３に例示するように個装箱３の蓋の裏面５に無線タグ４が添着されていてもよい。容量の小さな簡易な無線タグ読取装置によって集合包装箱１内の無線タグを検知するので、集合包装箱１の外面に施したマークの近くの容易に検知できる位置に添着しておけばよい。
【００１３】
図４は、「この度はお買い上げありがとうございます」という文字２を集合包装箱１の外面に印刷してあり、これらの文字２に例えば、大小、文字の彩色、文字の形態などの変化を与えておき、その特徴によってそれらの特定の部分が無線タグの取付位置を示すようにしたものである。図５〜図８にその実施態様を例示した。図５は大きい文字２ａと小さい文字２ｂとを配設しておき、大きい文字２ａの中心部又は小さい文字２ｂのいずれかに対応する位置に内部の個装箱に取付けた無線タグが対応するようにしたものである。図６は、例えば枠を付した文字２ｃが無線タグに対応する位置を示す例、図７はアンダーライン、又は色彩を付した文字２ｄが無線タグに対応する位置を示す例、図８はフォントの異なる文字２ｅが無線タグに対応する位置を示す例を示したものである。
【００１４】
以上は印刷文字による表示について述べたが図９（ａ）、（ｂ）、（ｃ）に示すような切れ刃６ａ、６ｂ、６ｃなどを用いてもよい。図１０は例えばこのような切れ刃６ｂ、６ｃを内部の無線タグの位置に対応させて設けた集合包装箱１の例を示したものである。このようなマークは内部情報管理用のマークとして用いることができ、第三者には解らないので、暗号化のメリットがある。
【００１５】
【発明の効果】
本発明によれば、輸送箱の外面にシリアルを表示するための転記、マーキング、ラベル貼り等の個別作業が不要となり、作業コストの削減、部品材料費の削減ができる。また、輸送箱に無線タグの位置を示すマークがあるので、無線タグ読み込み位置が明確となり出力の小さい無線タグ読取装置で確実に読むことができ、マルチリード方式などの複雑な装置を必要とせず、作業性も向上する。
【００１６】
実施例にも示したように、文字の印刷に代わり、切れ刃等を用いることもでき、この場合印刷不要となり、さらにコスト低減に寄与する。なお、無線タグの位置を示すマークを暗号化することにより、例えば商品名等を示す部分を第三者にわかりにくくして盗難等のおそれを防止することができるという副次的な効果もある。
【図面の簡単な説明】
【図１】実施例の集合包装箱の斜視図である。
【図２】図１の蓋を開いた状態を示す斜視図である。
【図３】個装箱の実施例を示す斜視図である。
【図４】実施例の集合包装箱の側面図である。
【図５】文字の例を示す説明図である。
【図６】文字の例を示す説明図である。
【図７】文字の例を示す説明図である。
【図８】文字の例を示す説明図である。
【図９】切れ刃の例を示す説明図である。
【図１０】別の実施例の集合包装箱の斜視図である。
【図１１】従来例の集合包装箱の斜視図である。
【図１２】従来例の集合包装箱の斜視図である。
【符号の説明】
１　　集合包装箱（輸送箱）
２、２ａ、２ｂ、２ｃ、２ｄ、２ｅ　　文字
３　　個装箱
４　　無線タグ
５　　裏面
６ａ、６ｂ、６ｃ　　切れ刃
１１　　個装箱
１２　　シリアル番号
１３　　外表面表示（転記）
１４　　シリアルラベル
【図１】
2004115057.tif 000003
【図２】
2004115057.tif 000004
【図３】
2004115057.tif 000005
【図４】
2004115057.tif 000006
【図５】
2004115057.tif 000007
【図６】
2004115057.tif 000008
【図７】
2004115057.tif 000009
【図８】
2004115057.tif 000010
【図９】
2004115057.tif 000011
【図１０】
2004115057.tif 000012
【図１１】
2004115057.tif 000013
【図１２】
2004115057.tif 000014